(57)【要約】【課題】帳票の記載情報の修正のさいに、帳票の原本の修正、及び、修正後の帳票原本に対するスキャナ装置等を用いた帳票画像の取得を不要とする。【解決手段】データ格納部と、記載情報修正手段と、記載情報比較手段と、画像修正手段とを備えて構成される。データ格納部には、帳票画像データと、帳票画像データを文字認識して得られる記載内容、及び、記載内容の帳票画像データにおける記載位置を含む記載情報とが格納される。記載情報修正手段は、データ格納部内に格納されている記載内容を修正して、修正後の記載内容を新たにデータ格納部に格納する。記載情報比較手段は、修正前の記載内容と、修正後の記載内容とを比較して差分を抽出する。画像修正手段は、差分を帳票画像データの対応する記載位置に書き込むことにより帳票画像データを修正して、修正後の帳票画像データを新たにデータ格納部に格納する。【選択図】図１
2012048372.tif 000002
【特許請求の範囲】
【請求項１】
帳票画像データと、前記帳票画像データを文字認識して得られる記載内容、及び、前記記載内容の前記帳票画像データにおける記載位置を含む記載情報とが格納されるデータ格納部と、
前記データ格納部内に格納されている前記記載内容を修正して、修正後の記載内容を新たに前記データ格納部に格納する記載情報修正手段と、
修正前の記載内容と、修正後の記載内容とを比較して差分を抽出する記載情報比較手段と、
前記差分を前記帳票画像データの対応する前記記載位置に書き込むことにより帳票画像データを修正して、修正後の帳票画像データを新たに前記データ格納部に格納する画像修正手段と
を備えることを特徴とする帳票管理装置。
【請求項２】
前記帳票画像データを文字認識して、前記記載情報を生成する文字認識手段
を備えることを特徴とする請求項１に記載の帳票管理装置。
【請求項３】
入力された帳票を、画像データとして電子データ化して、前記帳票画像データを生成する帳票入力部
を備えることを特徴とする請求項２に記載の帳票管理装置。
【請求項４】
帳票画像データと、前記帳票画像データを文字認識して得られる記載内容、及び、前記記載内容の前記帳票画像データにおける記載位置を含む記載情報とが格納されるデータ格納部を備える帳票管理装置において実行される、
前記データ格納部内に格納されている前記記載内容を修正して、修正後の記載内容を新たに前記データ格納部に格納する過程と、
修正前の記載内容と、修正後の記載内容とを比較して差分を抽出する過程と、
前記差分を前記帳票画像データの対応する前記記載位置に書き込むことにより帳票画像データを修正して、修正後の帳票画像データを新たに前記データ格納部に格納する過程と
を備えることを特徴とする帳票画像修正方法。
【請求項５】
記載内容を修正する前に行われる、
前記帳票画像データを文字認識して、前記記載情報を生成する過程
を備えることを特徴とする請求項４に記載の帳票画像修正方法。
【請求項６】
文字認識する前に行われる、
入力された帳票を、画像データとして電子データ化して、前記帳票画像データを生成する過程
を備えることを特徴とする請求項５に記載の帳票画像修正方法。
【請求項７】
帳票画像データと、前記帳票画像データを文字認識して得られる記載内容、及び、前記記載内容の前記帳票画像データにおける記載位置を含む記載情報とが格納されるデータ格納部を備える帳票管理装置を、
前記データ格納部内に格納されている前記記載内容を修正して、修正後の記載内容を新たに前記データ格納部に格納する記載情報修正手段、
修正前の記載内容と、修正後の記載内容とを比較して差分を抽出する記載情報比較手段、及び
前記差分を前記帳票画像データの対応する前記記載位置に書き込むことにより帳票画像データを修正して、修正後の帳票画像データを新たに前記データ格納部に格納する画像修正手段
として機能させるための帳票画像修正プログラム。
【請求項８】
前記帳票管理装置を、さらに
前記帳票画像データを文字認識して、前記記載情報を生成する文字認識手段
として機能させるための請求項７に記載の帳票画像修正プログラム。
【発明の詳細な説明】
【技術分野】
【０００１】
この発明は、帳票の記載内容を含む記載情報と、帳票画像データを電子データとして管理して、記載情報の修正に応じて帳票画像データの修正を行う帳票管理装置、帳票画像修正方法及び帳票画像修正プログラムに関するものである。
【背景技術】
【０００２】
一般に、帳票の記載情報は、帳票管理装置において、電子データとして管理されている。近年、帳票が画像データとして電子データ化された帳票画像データも、記載情報とともに、帳票管理装置において管理されることもある。この帳票管理装置では、帳票の内容を修正する場合に、記載情報の修正とともに、帳票画像データの修正が行われる。
【０００３】
この記載情報の修正に当たっては、修正前の帳票画像データと、修正後の帳票画像データとの差分を抽出して表示する技術が提案されている（例えば、特許文献１参照）。
【先行技術文献】
【特許文献】
【０００４】
【特許文献１】特開２００９−７７０８６号公報
【発明の概要】
【発明が解決しようとする課題】
【０００５】
しかしながら、上述の従来例の帳票管理装置では、帳票の内容を修正するにあたり、記載情報の修正だけでなく、帳票の原本の修正、修正後の帳票原本に対する帳票画像データの取得、及び、帳票画像データの差換えが必要となる。
【０００６】
この発明は、上述の問題点に鑑みてなされたものであり、この発明の目的は、記載情報の修正に応じて帳票画像データの修正を行う帳票管理装置、帳票画像修正方法及び帳票画像修正プログラムを提供することにある。
【課題を解決するための手段】
【０００７】
上述の目的を達成するために、この発明の帳票管理装置は、データ格納部と、記載情報修正手段と、記載情報比較手段と、画像修正手段とを備えて構成される。
【０００８】
データ格納部には、帳票画像データと、帳票画像データを文字認識して得られる記載内容、及び、記載内容の帳票画像データにおける記載位置を含む記載情報とが格納される。記載情報修正手段は、データ格納部内に格納されている記載内容を修正して、修正後の記載内容を新たにデータ格納部に格納する。記載情報比較手段は、修正前の記載内容と、修正後の記載内容とを比較して差分を抽出する。画像修正手段は、差分を帳票画像データの対応する記載位置に書き込むことにより帳票画像データを修正して、修正後の帳票画像データを新たにデータ格納部に格納する。
【０００９】
また、この発明の帳票画像修正方法は、上記データ格納部を備える帳票管理装置において実行される、以下の過程を備えて構成される。
【００１０】
先ず、データ格納部内に格納されている記載内容を修正して、修正後の記載内容を新たにデータ格納部に格納する。次に、修正前の記載内容と、修正後の記載内容とを比較して差分を抽出する。次に、差分を帳票画像データの対応する記載位置に書き込むことにより帳票画像データを修正して、修正後の帳票画像データを新たにデータ格納部に格納する。
【００１１】
また、この発明の帳票画像修正プログラムは、上記データ格納部を備える帳票管理装置を、記載情報修正手段、記載情報比較手段及び画像修正手段として機能させる。
【発明の効果】
【００１２】
この発明の、帳票管理装置、帳票画像修正方法及び帳票画像修正プログラムによれば、
記載情報の修正に応じて、帳票管理装置が帳票画像データの修正を行う。このため、帳票の内容を修正するに当たり、帳票の原本の修正、修正後の帳票原本に対するスキャナ装置等を用いた帳票画像データの取得、及び、帳票画像データの差換えが不要となる。
【図面の簡単な説明】
【００１３】
【図１】帳票管理装置の実施形態を説明するための概略構成図である。
【図２】帳票、帳票画像データ及び記載情報を説明するための模式図である。
【図３】帳票画像データ及び記載情報の修正を説明するための模式図である。
【図４】修正用画面の模式図である。
【図５】帳票画像修正方法を説明するための処理フロー図である。
【発明を実施するための形態】
【００１４】
以下、図を参照して、この発明の実施の形態について説明するが、各構成要素の配置関係については、この発明が理解できる程度に概略的に示したものに過ぎない。また、以下、この発明の好適な構成例につき説明するが、単なる好適例にすぎない。従って、この発明は以下の実施の形態に限定されるものではなく、この発明の構成の範囲を逸脱せずにこの発明の効果を達成できる多くの変更又は変形を行うことができる。
【００１５】
図１〜４を参照して、この発明の帳票管理装置の実施形態について説明する。図１は、この発明の帳票管理装置の実施形態を説明するための概略構成図である。図２は、帳票、帳票画像データ及び記載情報を説明するための模式図である。図３は、帳票画像データ及び記載情報の修正を説明するための模式図である。また、図４は、修正用画面の模式図である。
【００１６】
帳票管理装置１０は、帳票入力部２０、処理部３０及びデータ格納部８０を備えて構成される。処理部３０は、帳票入力部２０及びデータ格納部８０と接続されている。
【００１７】
帳票入力部２０は、紙媒体の帳票９０（図２（Ａ））から、電子データである帳票画像データ９２（図２（Ｂ））を生成する機能を有する装置であり、例えば、任意好適な従来周知のスキャナ装置とすることができる。
【００１８】
この帳票入力部２０は、帳票９０の束をセットすることにより、複数の帳票に対して、一括して対応する帳票画像データを生成する構成にしても良い。この場合、帳票入力部２０として、原稿搬送式のいわゆるページスキャナ装置を用いることができる。帳票入力部２０は、生成した帳票画像データ９２を処理部３０に送る。
【００１９】
処理部３０は、パーソナルコンピュータなど、任意好適な従来周知のコンピュータを用いて構成することができる。処理部３０は、ＲＡＭ（Ｒａｎｄｏｍ  Ａｃｃｅｓｓ  Ｍｅｍｏｒｙ）４２、ＲＯＭ（Ｒｅａｄ  Ｏｎｌｙ  Ｍｅｍｏｒｙ）４４、入力部５２、出力部５４、及び、制御部６０を備えている。帳票入力部２０から受け取った帳票画像データ９２は、例えばＲＡＭ４２に読出し自在に格納される。
【００２０】
制御部６０は、中央演算処理装置（ＣＰＵ）で構成される。ＣＰＵがＲＯＭ４４等に格納されているプログラムを読出して実行することにより、文字認識手段６２、記載情報修正手段６４、記載情報比較手段６６及び画像修正手段６８の各機能手段が実現される。なお、各機能手段の詳細については、後述する。
【００２１】
入力部５２は、キーボード、マウス、タッチパネル等の任意好適な入力装置で構成される。また、出力部５４は、ディスプレイ等の任意好適な出力装置で構成される。
【００２２】
なお、入力部５２及び出力部５４とは別に、あるいは入力部５２及び出力部５４に換えて、他のコンピュータ等との間で電子データの送受信を行う、送受信部を設けても良い。この場合、他のコンピュータが備える入力装置及び出力装置を用いて入出力処理が行われる。
【００２３】
ここでは、処理部３０を１つのコンピュータで構成する例を説明しているが、ＬＡＮ（Ｌｏｃａｌ  Ａｒｅａ  Ｎｅｔｗｏｒｋ）等で接続された複数のコンピュータで構成して、文字認識手段６２、記載情報修正手段６４、記載情報比較手段６６及び画像修正手段６８の各機能手段を、異なるコンピュータで実現する構成にしても良い。あるいは、ある機能手段を複数のコンピュータで実現する構成にしても良い。処理部３０を複数のコンピュータで構成すれば、複数の処理を並行して行うことができる。
【００２４】
データ格納部８０は、情報の書き込み、書き換え、及び、読み出しが可能な、例えば、従来周知のデータベース（ＤＢ）として構成される。
【００２５】
文字認識手段６２は、ＲＡＭ４２から読み出した帳票画像データ９２（図２（Ｂ））上の認識対象の文字の座標を特定し、特定した文字を文字認識して、記載情報９４（図２（Ｃ））を生成する機能を有している。この文字認識手段６２は、従来周知の光学式文字読取装置（ＯＣＲ：Ｏｐｔｉｃａｌ  Ｃｈａｒａｃｔｅｒ  Ｒｅｃｏｇｎｉｔｉｏｎ）と同様に構成することができる。
【００２６】
記載情報９４は、対応する帳票９０の、記載項目９５、記載内容９６、及び、記載内容９６の帳票画像データ９２内の記載位置を示す文字認識座標９７の情報を含んでいる。ここでは、文字認識座標９７が、記載内容９６の帳票画像データ９２内の記載位置を示していて、記載内容９６の修正を行う例について説明するが、記載項目９５の修正を行う構成にしても良い。この場合、文字認識座標９７として、記載項目９５の帳票画像データ９２内の記載位置を示す構成にすれば良い。なお文字認識座標９７は、例えば、文字認識手段６２のための制御情報として文字認識フォーマット情報を予め準備して、各記載項目の文字認識対象領域座標を格納しておき、それに従って文字認識を行った上で、同座標を記載情報９４に格納するようにすればよい。あるいは、帳票画像上から記載項目の項目名タイトルの文字列を検索して記載項目の位置を特定し、特定した座標を格納するようにしてもよい。
【００２７】
また、図２では、帳票９０の例として、診療報酬明細書（レセプト）を示しているが、帳票９０はレセプトに限定されず、様々な帳票に適用することができる。
【００２８】
文字認識手段６２は、１つの帳票９０に対応する帳票画像データ９２と記載情報９４とを、互いに関連付けて、データ格納部８０に格納する。ここでは、帳票画像データ９２と記載情報９４を別のデータとして格納する例について説明しているが、これに限定されない。帳票画像データが、画像データ領域と拡張データ領域とを備え、画像データ領域に、帳票画像の画像データ自体を格納し、拡張データ領域に記載情報を格納する構成にしても良い。
【００２９】
記載情報修正手段６４は、データ格納部８０内に格納されている記載情報９４ａのうち、記載内容９６ａを修正して、修正後の記載内容９６ｂを含む記載情報９４ｂを新たにデータ格納部８０に格納する機能を有している。
【００３０】
記載情報修正手段６４の具体例について説明する。記載情報修正手段６４は、データ格納部８０から、修正前の記載情報９４ａを読み出す。記載情報修正手段６２は、読み出した記載情報９４ａを所定の形式に変換して、出力部５４を介してオペレータに通知する。その後、オペレータは、入力部５２を操作して、記載内容９６ａに対する修正事項を入力する。記載情報修正手段６４は、入力された修正事項に基づいて、修正後の記載内容９６ｂを含む記載情報９４ｂを新たに生成する。記載情報修正手段６４は、この修正後の記載情報９４ｂを、修正前の記載情報９４ａとは別に、データ格納部８０に格納する。
【００３１】
ここでは、オペレータが、帳票管理装置１０の入力部５２を操作して、修正事項の入力を行い、記載情報修正手段６４が、その入力に応答して記載情報の修正を行う例について説明したが、これに限定されない。記載情報修正手段６４が、データ格納部８０から読み出した記載情報９４を所定の形式に変換した後、送受信部を経て、ＬＡＮ等で接続された外部のシステムに送信し、外部のシステムで入力された修正事項を、送受信部を経て受信する構成にしても良い。
【００３２】
記載情報比較手段６６は、修正前の記載内容９６ａと、修正後の記載内容９６ｂとを比較して差分を抽出する。
【００３３】
記載情報比較手段６６の具体例について説明する。記載情報比較手段６６は、データ格納部８０から、修正前の記載情報９４ａと、修正後の記載情報９４ｂを読み出す。その後、記載情報比較手段６６は、両者の記載内容を比較する。比較の結果、記載内容に相違点がある場合は、その差分を抽出し、差分データ９８としてデータ格納手段８０に格納する。この際、差分データ９８は、対応する帳票画像データ９２と関連付けされて格納される。例えば、差分データ９８には、相違点がある記載内容について、修正後の記載内容９６ｂとその文字認識座標９７が含まれている。
【００３４】
なお、帳票画像データが、画像データ領域と拡張データ領域とを備え、画像データ領域に、帳票画像の画像データ自体を格納し、拡張データ領域に差分データを格納する構成にしても良い。
【００３５】
画像修正手段６８は、差分を帳票画像データ９２の対応する記載位置に書き込むことにより帳票画像データを修正して、修正後の帳票画像データを新たにデータ格納部に格納する。
【００３６】
画像修正手段６８の具体例について説明する。画像修正手段６８は、データ格納部８０から、修正前の帳票画像データ９２ａと、差分データ９８とを読み出す。画像修正手段６８は、差分データ９８が含む記載内容を、文字認識座標が示す、修正前の帳票画像データ９２ａの対応する記載位置に書き込むことにより、帳票画像データを修正して、修正後の帳票画像データ９２ｂを生成する。なお、この差分の帳票画像データ９２への書き込みは、例えば、特開２００７−６７９７１号公報に開示されている技術を用いて実現することができる。
【００３７】
画像修正手段６８は、出力部５４を介して修正用画面７０を表示する。修正用画面７０は、例えば、帳票画像データ９２ａ及び９２ｂを画像として表示する帳票表示領域７１ａ及び７１ｂと、操作メニューを表示する操作用領域とを備えている。
【００３８】
帳票表示領域７１ａ及び７１ｂには、修正前の帳票画像データ９２ａと、プレビュー画像として、修正後の帳票画像データ９２ｂが表示される。このとき、差分データ９８が含む記載内容を、修正前及び修正後の帳票画像データ９２ａ及び９２ｂとは別に表示したり、修正後の帳票画像データ９２ｂの修正箇所をハイライト表示したりするなどしても良い。
【００３９】
オペレータは、修正用画面７０を確認した後、入力手段５２を操作して、所望の操作メニューを選択する。ここで、修正後の帳票画像データ９２ｂを承認する場合は、修正完了のメニューが選択される。修正完了のメニューが選択されると、画像修正手段６８は、修正後の帳票画像データ９２ｂと修正後の記載情報９４ｂを、帳票画像データ９２及び記載情報９４として確定する。
【００４０】
なお、操作用領域については、修正用画面７０内に表示する構成に限られない。操作メニューの選択用ボタンを、別途入力手段５２として設けておき、当該選択用ボタンを押すことにより、メニューを選択する構成にしても良い。
【００４１】
図５を参照して、帳票画像修正方法について説明する。
【００４２】
先ず、Ｓ１０において、帳票入力部２０が、帳票入力部２０にセットされた帳票９０から帳票画像データ９２を生成する。帳票画像データ９２は、処理部３０に送られ、例えば、処理部３０内のＲＡＭ４２に格納される。
【００４３】
次に、Ｓ２０において、文字認識手段６２が、ＲＡＭ４２から読み出した帳票画像データ９２に対して文字認識処理を行う。文字認識手段６２は、文字認識の結果を記載情報９４としてデータ格納部８０に格納する。また、文字認識手段６２は、帳票画像データ９２を記載情報９４と関連付けして、データ格納部８０に格納する。
【００４４】
次に、Ｓ３０において、記載情報修正手段６４が、記載情報９４の修正を行う。この過程では、先ず、記載情報修正手段６４が、データ格納部８０から読み出した修正前の記載情報９４ａを、出力部５４を介して出力する。次に、オペレータは、入力部５２を操作して、記載情報の修正を行う。次に、記載情報修正手段６４が、修正後の記載情報９４ｂをデータ格納部８０に保存する。
【００４５】
次に、Ｓ４０において、記載情報比較手段６６は、修正前の記載情報９４ａと修正後の記載情報９４ｂを比較する。比較の結果、修正前と修正後とで、記載情報の差分が発生している場合、記載情報比較手段６６は、差分をデータ格納部８０に保存する。このとき、記載情報比較手段６６は、帳票画像データ９２の拡張データ領域に、差分とその差分が生じた記載内容についての、文字認識座標９７を格納する。
【００４６】
次に、Ｓ５０において、画像修正手段６８が、帳票画像データ９２の修正を行う。この過程では、先ず、画像修正手段６８が、データ格納部８０から、帳票画像データ９２を読み出す。次に、画像修正手段６８は、帳票画像データ９２を、出力部５４として設けられているディスプレイに表示させる。帳票画像データ９２には、差分とその文字認識座標が格納されているので、画像修正手段６８は、修正前の帳票画像データ９２ａの、文字認識座標で示される場所に差分を書き込んだ帳票画像データ９２ｂを新たに作成する。修正前の帳票画像データ９２ａと、新たに作成された修正後の帳票画像データ９２ｂは並べて表示される。
【００４７】
なお、Ｓ１０の帳票入力過程、Ｓ２０の文字認識過程は、予め行っておいても良い。すなわち、予めデータ格納部８０に格納されている、帳票画像データと記載情報に対して、Ｓ３０〜Ｓ５０の処理を行えば良い。あるいは、Ｓ１０の帳票入力過程を予め行い、データ格納部８０に格納されている帳票画像データに対して、Ｓ２０〜Ｓ５０の処理を行っても良い。
【００４８】
なお、帳票画像の修正は、画像上に直接行ってもよいし、レイヤーやアノテーション機能等により、元の画像を書き換えずに情報を追加するようにしてもよい。
【符号の説明】
【００４９】
１０    帳票管理装置    
２０    帳票入力部    
３０    処理部
４２    ＲＡＭ
４４    ＲＯＭ
５２    入力部  
５４    出力部
６０    制御部
６２    文字認識手段
６４    記載情報修正手段
６６    記載情報比較手段
６８    画像修正手段  
７０    修正用画面
８０    データベース（ＤＢ）    
９０    帳票
９２    帳票画像データ
９４    記載情報
９５    記載項目
９６    記載内容
９７    文字認識座標
９８    差分データ
【図１】
2012048372.tif 000003
【図２】
2012048372.tif 000004
【図３】
2012048372.tif 000005
【図４】
2012048372.tif 000006
【図５】
2012048372.tif 000007